(57)【要約】【課題】  記録シートを収容させた給紙カセットを装置本体に対して引き出し可能に装着させた画像形成装置において、上記の給紙カセットを装置本体から引き出す際に、記録シートが給紙カセットから引き出し方向と反対側に飛び出して、給紙カセットの引き出し方向奥側の部分に記録シートが入り込んだりするのを確実に防止する。【解決手段】  記録シートＳを収容部２１に収容させた給紙カセット２０が装置本体１に対して引き出し可能に装着された画像形成装置において、給紙カセットの収容部と対向する装置本体側の部分に、上方に凹んだ凹部３１を給紙カセットの引き出し方向に沿って設けると共に、給紙カセットにおける引き出し方向奥側の部分に、上記の凹部に嵌り込むように上方に突出された抑止部２４を設けた。【選択図】  図２
2012001336.tif 000002
【特許請求の範囲】
【請求項１】
記録シートを収容部に収容させた給紙カセットが装置本体に対して引き出し可能に装着された画像形成装置において、上記の給紙カセットの収容部と対向する装置本体側の部分に、上方に凹んだ凹部が給紙カセットの引き出し方向に沿って設けられる一方、上記の給紙カセットにおける引き出し方向奥側の部分に、上記の凹部に嵌り込むように上方に突出された抑止部が設けられてなることを特徴とする画像形成装置。
【請求項２】
記録シートを収容部に収容させた給紙カセットが装置本体に対して引き出し可能に装着された画像形成装置において、上記の給紙カセットの収容部と対向する装置本体側の部分に、給紙カセットの引き出し方向に沿った案内部材が適当な間隔を介して設けられて、案内部材間に給紙カセットの引き出し方向に沿ったスリット部分が形成される一方、上記の給紙カセットにおける引き出し方向奥側の部分に、上記のスリット部分より上方に突出された抑止部が設けられてなることを特徴とする画像形成装置。
【請求項３】
請求項１又は請求項２に記載の画像形成装置において、上記の抑止部の上端部に給紙カセットの引き出し方向に延出された係止部が設けられていることを特徴とする画像形成装置。
【発明の詳細な説明】
【技術分野】
【０００１】
この発明は、複写機、プリンタ、ファクシミリ及びこれらの複合機等の画像形成装置に係り、特に、記録シートを収容部に収容させた給紙カセットが装置本体に対して引き出し可能に装着された画像形成装置において、給紙カセットを装置本体から引き出す際に、収容部に収容された記録シートが給紙カセットから引き出し方向と反対側に飛び出して、給紙カセットの引き出し方向奥側の部分に記録シートが入り込んだりするのを確実に防止できるようにした点に特徴を有するものである。
【背景技術】
【０００２】
従来、複写機、プリンタ、ファクシミリ及びこれらの複合機等の画像形成装置においては、一般に、記録シートを収容部に収容させた給紙カセットを装置本体に対して引き出し可能に装着させ、この給紙カセット内に収容された記録シートを押上板により押し上げて、収容部に収容された記録シートの先端部をピックアップローラ等の給紙ローラの位置に導き、最表面に位置する記録シートを給紙ローラにより給紙し、この記録シートを搬送させて、画像形成を行うようにしている。
【０００３】
ここで、このような画像形成装置において、記録シートが詰まってジャムが発生することがあり、このようにジャムが発生した場合には、上記の給紙カセットを装置本体から引き出して、記録シートを取り除くことが行われている。
【０００４】
しかし、上記のように記録シートの先端部をピックアップローラ等の給紙ローラの位置に導いて、記録シートを給紙ローラによって給紙させる状態でジャムが発生すると、給紙される記録シートの先端部が給紙カセットより上に飛び出した状態になっているため、この状態で、給紙カセットを装置本体から引き出すようにした場合、特に、給紙カセットを給紙方向と交差する方向に引き出すようにした場合、先端部が飛び出した状態になっている記録シートが装置本体内のフレームなどに接触し、この記録シートが給紙カセットから給紙カセットの引き出し方向と反対側に飛び出して、給紙カセットの引き出し方向奥側に記録シートが入り込むということがあった。
【０００５】
また、給紙カセットの収容部内に過剰の記録シートが収容されている場合や、給紙カセットの収容部内に収容された記録シートが彎曲しているような場合においても、給紙カセットを装置本体から引き出した際に、記録シートが装置本体内のフレームなどに接触し、この記録シートが給紙カセットから給紙カセットの引き出し方向と反対側に飛び出して、給紙カセットの引き出し方向奥側に記録シートが入り込むということがあった。
【０００６】
そして、上記のように給紙カセットの引き出し方向奥側に入り込んだ記録シートに気付かずに、給紙カセットをそのまま装置本体に装着させた場合、給紙カセットの引き出し方向奥側の部分に残った記録シートが折れ曲がったりし、給紙カセットの引き出し方向奥側の部分に設けられた各種の検知部が誤検知を行って画像形成に支障が生じたり、入り込んだ記録シートが通紙経路に導かれてジャムが発生したりする等の問題が生じた。
【０００７】
このため、従来においては、特許文献１に示されるように、給紙カセットの引き出し方向奥側に給紙時の記録シート最上面より上方に突出した突き出し部を設け、給紙カセットを装置本体から引き出した際に、記録シートが給紙カセットの引き出し方向と反対側に飛び出すのを、この突き出し部によって抑制するようにしたものが提案されている。また、特許文献２に示されるように、給紙カセットの引き出し方向奥側と装置本体の一部とを可撓性のシート部材で連結し、給紙カセットを装置本体から引き出した際に、給紙カセットの引き出し方向と反対側に飛び出した記録シートを、この可撓性のシート部材の上に保持させるようにしたものが提案されている。
【０００８】
しかし、特許文献１に示されるように、給紙カセットの引き出し方向奥側に給紙時の記録シート最上面より上方に突出した突き出し部を設けた場合、給紙カセットとこれに対向する装置本体との間隔を大きくしなければならず、装置が大型化すると共に、突き出し部が設けられていない部分においては、給紙カセットと装置本体との間隔が大きくなり、装置本体から引き出す際に、装置本体のフレーム等に引っ掛かった記録シートが、給紙カセットと装置本体との間隔が大きくなった部分から給紙カセットの引き出し方向と反対側に飛び出して、給紙カセットの引き出し方向奥側に入り込むという問題が依然として存在した。
【０００９】
また、特許文献２に示されるように、給紙カセットの引き出し方向奥側と装置本体の一部とを可撓性のシート部材で連結し、給紙カセットを装置本体から引き出した際に、給紙カセットの引き出し方向と反対側に飛び出した記録シートを、この可撓性のシート部材の上に保持させるようにした場合においても、飛び出した記録シートが給紙カセットの引き出し方向奥側においてシート部材の上に保持されているため、このように保持されている記録シートを確認することが困難であり、記録シートがシート部材の上に保持されたままの状態で、給紙カセットを装置本体に装着させることがあり、上記のシート部材が折れ曲がったりして、検知部が誤検知を行ったりするという問題が依然として存在した。
【先行技術文献】
【特許文献】
【００１０】
【特許文献１】特開平９−７７２９１号公報
【特許文献２】特開２００８−３０４８２４号公報
【発明の概要】
【発明が解決しようとする課題】
【００１１】
この発明は、記録シートを収容部に収容させた給紙カセットを装置本体に対して引き出し可能に装着させるようにした画像形成装置における上記のような問題を解決することを課題とするものであり、給紙カセットを装置本体から引き出す際に、収容部に収容された記録シートが給紙カセットから引き出し方向と反対側に飛び出して、給紙カセットの引き出し方向奥側の部分に記録シートが入り込んだりするのを確実に防止できるようにすることを課題とするものである。
【課題を解決するための手段】
【００１２】
この発明の第１の画像形成装置においては、上記のような課題を解決するため、記録シートを収容部に収容させた給紙カセットが装置本体に対して引き出し可能に装着された画像形成装置において、上記の給紙カセットの収容部と対向する装置本体側の部分に、上方に凹んだ凹部を給紙カセットの引き出し方向に沿って設けると共に、上記の給紙カセットにおける引き出し方向奥側の部分に、上記の凹部に嵌り込むように上方に突出された抑止部を設けた。
【００１３】
また、この発明の第２の画像形成装置においては、上記のような課題を解決するため、記録シートを収容部に収容させた給紙カセットが装置本体に対して引き出し可能に装着された画像形成装置において、上記の給紙カセットの収容部と対向する装置本体側の部分に、給紙カセットの引き出し方向に沿った案内部材を適当な間隔を介して設けて、案内部材間に給紙カセットの引き出し方向に沿ったスリット部分を形成する一方、上記の給紙カセットにおける引き出し方向奥側の部分に、上記のスリット部分より上方に突出された抑止部を設けた。
【００１４】
また、上記の各画像形成装置において、給紙カセットから飛び出す記録シートが、給紙カセットにおける引き出し方向奥側の部分に設けた抑止部によって適切に係止されて、この記録シートが給紙カセットと一緒に引き出されるようにするためには、上記の抑止部の上端部に給紙カセットの引き出し方向に延出された係止部を設けることが好ましい。
【発明の効果】
【００１５】
この発明の第１の画像形成装置においては、給紙カセットの引き出し方向に沿って装置本体側の部分に設けられた上方に凹んだ凹部に、給紙カセットにおける引き出し方向奥側の部分において上方に突出された抑止部を嵌め込むようにして、給紙カセットを装置本体に装着させるようにしたため、給紙カセットを装置本体から引き出す際に、記録シートが飛び出した状態になっていても、この記録シートが装置本体側における凹部以外の部分において押さえ付けられるように規制されると共に、凹部に嵌り込んだ上記の抑止部により記録シートが確実に保持されるようになり、記録シートが給紙カセットと一緒に引き出されて、給紙カセットの引き出し方向と反対側に飛び出すのが確実に防止される。
【００１６】
また、この発明の第２の画像形成装置においては、給紙カセットの引き出し方向に沿って装置本体側の部分に所要間隔を介して案内部材を設け、給紙カセットにおける引き出し方向奥側の部分において上方に突出された抑止部が、この案内部材間におけるスリット部分より上方に突出するようにして、給紙カセットを装置本体に装着させるようにしたため、給紙カセットを装置本体から引き出す際に、記録シートが飛び出した状態になっていても、記録シートが上記の案内部材によって押さえ付けられるように規制されると共に、スリット部分より上方に突出した上記の抑止部によって記録シートが確実に保持されるようになり、記録シートが給紙カセットと一緒に引き出されて、給紙カセットの引き出し方向と反対側に飛び出すのが確実に防止される。
【００１７】
この結果、この発明における各画像形成装置においては、給紙カセットを装置本体から引き出す際に、給紙カセットの収容部に収容された記録シートが、給紙カセットから給紙カセットの引き出し方向と反対側に飛び出して、給紙カセットの引き出し方向奥側の部分に入り込むのが確実に防止されるようになり、給紙カセットの引き出し方向奥側の部分における各種の検知部が誤検知を行って画像形成に支障が生じたり、上記のように入り込んだ記録シートが通紙経路に導かれてジャムが発生したりするのが抑制されるようになる。
【図面の簡単な説明】
【００１８】
【図１】この発明の実施形態における画像形成装置の概略説明図である。
【図２】上記の実施形態における画像形成装置において、給紙カセットを装置本体に装着させる第１の形態を示し、給紙カセットの引き出し方向から見た断面説明図である。
【図３】上記の第１の形態において、給紙カセットの引き出し方向奥側の部分を示した部分断面説明図である。
【図４】上記の実施形態における画像形成装置において、給紙カセットを装置本体に装着させる第２の形態を示し、給紙カセットの引き出し方向から見た断面説明図である。
【図５】上記の第２の形態において、給紙カセットの上面側から見た概略説明図である。
【発明を実施するための形態】
【００１９】
次に、本発明の実施形態に係る画像形成装置を添付図面に基づいて具体的に説明する。なお、本発明に係る画像形成装置は、下記の実施形態に示したものに限定されず、その要旨を変更しない範囲において適宜変更して実施できるものである。
【００２０】
この実施形態に係る画像形成装置においては、図１に示すように、装置本体１内に回転する４つの感光体ドラム１０を設けると共に、各感光体ドラム１０に対応させて４つの現像装置１１に設け、各現像装置１１には、黒色，黄色，マゼンダ色，シアン色の異なった色彩のトナーを収容させている。
【００２１】
また、装置本体１の下部において、記録シートＳを収容部２１に収容させた複数の給紙カセット２０を、それぞれ装置本体１０に対して記録シートＳの給紙方向Ａと直交する方向、すなわち紙面の手前側に引き出しできるようにして、装置本体１に装着させるようにしている。
【００２２】
そして、この画像形成装置によりフルカラーの画像形成を行うにあたっては、上記の各感光体ドラム１０を回転させて、各感光体ドラム１０の表面をそれぞれ帯電装置１２によって帯電させ、このように帯電された各感光体ドラム１０に対して、それぞれ潜像形成装置１３により画像形成情報に従った露光を行い、各感光体ドラム１０の表面にそれぞれ静電潜像を形成するようにしている。
【００２３】
次いで、このように静電潜像が形成された各感光体ドラム１０に対して、それぞれ対応する現像装置１１からそれぞれの色彩のトナーを供給して、各感光体ドラム１０の静電潜像を現像し、各感光体ドラム１０の表面にそれぞれの色彩のトナー像を形成するようにしている。
【００２４】
そして、このように各感光体ドラム１０に形成された各色彩のトナー像を、ローラ１４ａに架け渡されて駆動される無端ベルト状になった中間転写体１４に、それぞれ一次転写ローラ１４ｂにより順々に一次転写させて、この中間転写体１４の上にフルカラーのトナー像を形成するようにしている。一方、上記の中間転写体１４に転写されずに各感光体ドラム１０の表面に残留しているトナー等の残留物を、それぞれ第１クリーニング装置１５によって除去するようにしている。
【００２５】
次いで、上記のように中間転写体１３の上に形成されたフルカラーのトナー像を、この中間転写体１３により二次転写ローラ１６と対向する位置に導くようにしている。
【００２６】
一方、装置本体１の下部に装着された複数の給紙カセット２０において、適切な記録シートＳが収容された給紙カセット２０から、ピックアップローラ２２ａ，フィードローラ２２ｂ，リバースローラ２２ｃからなる給紙ローラ２２によって最表面に位置する記録シートＳを給紙し、この記録シートＳを送りローラ１７によって中間転写体１３により二次転写ローラ１６との間に導き、二次転写ローラ１６により中間転写体１３の上に形成されたフルカラーのトナー像をこの記録シートＳに二次転写させるようにしている。
【００２７】
その後、フルカラーのトナー像が転写された記録シートＳを定着装置１８に導いて、転写されたフルカラーのトナー像を記録シートＳに定着させた後、このようにフルカラーのトナー像が定着された記録シートＳを排紙させるようにしている。一方、記録シートＳに転写されずに上記の中間転写体１３に残ったトナー等の残留物を、第２クリーニング装置１９によって中間転写体１３から除去させるようにしている。
【００２８】
ここで、記録シートＳを収容部２１に収容させた各給紙カセット２０を、それぞれ記録シートＳの給紙方向Ａと直交する方向に引き出すことができるようにして、装置本体１に装着させるにあたり、第１の形態においては、図２及び図３に示すように、給紙カセット２０の収容部２１と対向する装置本体１側の部分に、上方に凹んだ２つの凹部３１が給紙カセット２０の引き出し方向Ｂに沿って設けられた規制部材３０を配置させる一方、給紙カセット２０における引き出し方向奥側の壁部２３に、上記の各凹部３１に嵌り込むようにして、上方に突出された２つの抑止部２４を設けると共に、各抑止部２４の上端部から給紙カセット２０の引き出し方向Ｂに折れ曲がって延出された係止部２４ａを設けている。
【００２９】
そして、この第１の形態において、上記の給紙カセット２０を装置本体１から引き出すにあたり、図２に示すように、給紙カセット２０の収容部２１に収容された記録シートＳの一部が、上記のピックアップローラ２２ａ，フィードローラ２２ｂ，リバースローラ２２ｃからなる給紙ローラ２２に導かれて飛び出した状態になっていても、この記録シートＳが装置本体１側に設けられた上記の規制部材３０における凹部３１以外の部分において押さえ付けられるように規制されると共に、給紙カセット２０の奥側の壁部２３に設けられて、規制部材３０の凹部３１に嵌り込んだ状態にある各抑止部２４に、上記のように飛び出した状態にある記録シートＳが当たって抑止され、さらに各抑止部２４の上端部から給紙カセット２０の引き出し方向Ｂに折れ曲がった係止部２４ａによってこの記録シートＳが係止されるようになる。
【００３０】
このため、給紙カセット２０の収容部２１に収容された記録シートＳの一部が飛び出した状態になっていても、給紙カセット２０を装置本体１から引き出す際に、この記録シートＳが、給紙カセット２０の引き出し方向Ｂと反対側に飛び出すのが防止されて、記録シートＳが給紙カセット２０と一緒に適切に引き出されるようになり、記録シートＳが給紙カセット２０の引き出し方向奥側の部分に入り込むのが確実に防止されるようになる。なお、上記の形態において、上記の規制部材３０を、装置本体１内に別部材として設けるようにしてもよいが、装置本体１内に配置される各種の装置や部材を規制部材として利用することもでき、例えば、上記の潜像形成装置１３を規制部材として用い、この潜像形成装置１３の底部に上記のような上方に凹んだ凹部を設けるようにすることもできる。
【００３１】
また、第２の形態においては、図４及び図５に示すように、給紙カセット２０の収容部２１と対向する装置本体１側の部分に、給紙カセット２０の引き出し方向Ｂに沿った案内部材３３を適当な間隔を介して複数設けて、案内部材３３間に給紙カセット２０の引き出し方向Ｂに沿ったスリット部分３４を複数形成する一方、給紙カセット２０における引き出し方向奥側の壁部２３に、上記の各スリット部分３４より上方に突出するようにして抑止部２４を複数設けると共に、各抑止部２４の上端部から給紙カセット２０の引き出し方向Ｂに折れ曲がって延出された係止部２４ａを設けている。なお、上記の案内部材３３としては、適当な幅になった板材やシート材等を用いることができる。
【００３２】
そして、この第２の形態において、上記の給紙カセット２０を装置本体１から引き出すにあたり、図４に示すように、給紙カセット２０の収容部２１に収容された記録シートＳの一部が、上記のピックアップローラ２２ａ，フィードローラ２２ｂ，リバースローラ２２ｃからなる給紙ローラ２２に導かれて飛び出した状態になっていても、この記録シートＳが装置本体１側に設けられた上記の各案内部材３３によって押さえ付けられるように規制されると共に、給紙カセット２０の奥側の壁部２３に設けられて、各スリット部分３４より上方に突出した状態にある各抑止部２４に、上記のように飛び出した状態にある記録シートＳが当たって抑止され、さらに各抑止部２４の上端部から給紙カセット２０の引き出し方向Ｂに折れ曲がった係止部２４ａによってこの記録シートＳが係止されるようになる。
【００３３】
このため、給紙カセット２０の収容部２１に収容された記録シートＳの一部が飛び出した状態になっていても、給紙カセット２０を装置本体１から引き出す際に、この記録シートＳが、給紙カセット２０の引き出し方向Ｂと反対側に飛び出すのが防止されて、記録シートＳが給紙カセット２０と一緒に適切に引き出されるようになり、記録シートＳが給紙カセット２０の引き出し方向奥側の部分に入り込むのが確実に防止されるようになる。
【００３４】
なお、上記の第１及び第２の形態において、給紙カセット２０の引き出し方向の奥側の壁部２３に設ける上記の抑止部２４の数や位置は特に限定されないが、給紙カセット２０の収容部２１に収容される記録シートＳが小さい場合においても、この記録シートＳが給紙カセット２０の引き出し方向Ｂと反対側に飛び出すのを適切に防止するため、このような記録シートＳが給紙される上記の給紙ローラ２２に近い部分に少なくとも１つ設けるようにすることが好ましい。
【符号の説明】
【００３５】
１  装置本体
１０  感光体ドラム
１１  現像装置
１２  帯電装置
１３  潜像形成装置
１４  中間転写体
１４ａ  ローラ
１４ｂ  一次転写ローラ
１５  第１クリーニング装置
１６  二次転写ローラ
１７  送りローラ
１８  定着装置
１９  第２クリーニング装置
２０  給紙カセット
２１  収容部
２２  給紙ローラ
２３  引き出し方向の奥側の壁部
２４  抑止部
２４ａ  係止部
３０  規制部材
３１  凹部
３３  案内部材
３４  スリット部分
Ａ  給紙方向
Ｂ  給紙カセットの引き出し方向
Ｓ  記録シート
【図１】
2012001336.tif 000003
【図２】
2012001336.tif 000004
【図３】
2012001336.tif 000005
【図４】
2012001336.tif 000006
【図５】
2012001336.tif 000007